(57)【要約】【課題】蓋体に着脱自在に装着された部品が取り外された状態でも、危険がないように蓋体を安全に開くことができる炊飯器を提供する。【解決手段】ヒンジバネは、互いに逆方向に巻回された第１ヒンジバネ２１及び第２ヒンジバネ２２により構成され、第１ヒンジバネ２１及び第２ヒンジバネ２２のうち第１ヒンジバネ２１の第１バネ端部２１ａを上方から係止して水平状態にするバネ係止部２３が設けられ、ヒンジバネ可変機構部３０は、第２ヒンジバネ２２の第２バネ端部２２ａを上方から係止して第２バネ端部２２ａを水平状態とし、蓋体２に着脱自在に装着された内蓋７が装着されていないときには、軸３３を支点として第２ヒンジバネ２２の第２バネ端部２２ａの係止位置を上方に移動させる第２バネ係止可変部３１を備えている。【選択図】図７
2016174623.tif 000002
【特許請求の範囲】
【請求項１】
内釜が取り外し自在に収容され、前記内釜を加熱する加熱手段を有する本体と、前記本体にヒンジ部を介して開閉自在に設けられた蓋体とを有する炊飯器において、
前記ヒンジ部は、コイル形状のヒンジバネを有し、
前記ヒンジバネのバネ端部を上方から係止して当該バネ端部を水平状態とし、前記蓋体に着脱自在に装着される部品が装着されていないときに、前記バネ端部の係止位置を上方に移動させて、ヒンジバネの付勢力を、前記バネ端部を水平な状態で係止しているときよりも小さくするヒンジバネ可変機構部を備えたことを特徴とする炊飯器。
【請求項２】
前記ヒンジバネは、互いに逆方向に巻回された２つのヒンジバネを有し、
前記２つのヒンジバネのうち何れか一方のヒンジバネのバネ端部を上方から係止して水平状態にするバネ係止部が設けられ、
前記ヒンジバネ可変機構部は、他方のヒンジバネのバネ端部を上方から係止して当該バネ端部を水平状態とし、前記蓋体に着脱自在に装着される部品が装着されていないときに、前記バネ端部の係止位置を上方に移動させるバネ係止可変部を備えていることを特徴とする請求項１記載の炊飯器。
【請求項３】
前記蓋体に着脱自在に装着される部品は、周縁部に上方に突出する突起部を有する内蓋であり、
前記バネ係止可変部は、前記蓋体を正面から見て左右に長く延びて形成され、一端部が前記突起部により下方から支持され、他端部が他方のヒンジバネのバネ端部を上方から係止して当該バネ端部を水平状態とし、前記内蓋が前記蓋体に装着されていないときには、前記一端部が下方に下がると共に、前記他端部が上方に上がって前記他方のヒンジバネのバネ端部の係止位置を上方に移動させることを特徴とする請求項２記載の炊飯器。
【請求項４】
前記バネ係止可変部は、中央部より他端部側に軸によって回動自在に支持されていることを特徴とする請求項３記載の炊飯器。
【請求項５】
前記他方のヒンジバネは、前記一方のヒンジバネよりもバネ定数が小さいことを特徴とする請求項２〜４の何れか１項に記載の炊飯器。
【請求項６】
内釜が取り外し自在に収容され、前記内釜を加熱する加熱手段を有する本体と、前記本体にヒンジ部を介して開閉自在に設けられた蓋体とを有する炊飯器において、
前記ヒンジ部は、互いに逆方向に巻回された２つのコイル形状のヒンジバネを有し、
前記蓋体に着脱自在に装着され、周縁部に上方に突出する突起部を有する内蓋と、
前記蓋体を正面から見て、前部が前記２つのヒンジバネのバネ端部をそれぞれ上方から係止して当該バネ端部を水平状態にするヒンジバネ可変機構部とを備え、
ヒンジバネ可変機構部は、後部が前記突起部により下方から支持され、前記内蓋が前記蓋体に装着されていないときには、前記後部が下方に下がると共に、前記前部が上方に上がって前記バネ端部の係止位置を上方に移動させ、前記２つのヒンジバネの付勢力を、前記バネ端部を水平な状態で係止しているときよりも小さくすることを特徴とする炊飯器。
【請求項７】
前記突起部は、前記蓋体に前記内蓋が装着された際に、前記ヒンジ部側に位置するように設けられていることを特徴とする請求項３〜６の何れか１項に記載の炊飯器。
【請求項８】
前記突起部は、前記内釜のフランジ部上に位置するように設けられていることを特徴とする請求項３〜７の何れか１項に記載の炊飯器。
【請求項９】
内釜が取り外し自在に収容され、前記内釜を加熱する加熱手段を有する本体と、前記本体にヒンジ部を介して開閉自在に設けられた蓋体とを有する炊飯器において、
前記ヒンジ部は、コイル形状のヒンジバネを有し、
前記ヒンジバネのバネ端部を上方から係止して水平状態とするカムと、
前記カムにギアーを介して接続されたモーターと、
前記蓋体に着脱自在に装着される内蓋の有無を検知する内蓋検知手段と、
前記内蓋検知手段により内蓋が検知されなかったときに、前記モーターを駆動して前記カムを一定方向に回転させ、前記バネ端部の係止位置を上方に移動させて、ヒンジバネの付勢力を、前記バネ端部を水平な状態で係止しているときよりも小さくさせる制御部と
を備えたことを特徴とする炊飯器。
【発明の詳細な説明】
【技術分野】
【０００１】
本発明は、本体にヒンジ部を介して開閉自在に設けられた蓋体を有する炊飯器に関するものである。
【背景技術】
【０００２】
従来の炊飯器は、本体に蓋体が開閉自在に取り付けられて構成される。蓋体を開閉自在に取り付けるために、特に蓋体を開く動作を、バネによる付勢力でゆっくりと、あるいは自動的に開くように構成されている（例えば、特許文献１参照）。
【先行技術文献】
【特許文献】
【０００３】
【特許文献１】特許第３６４３０２１号公報
【発明の概要】
【発明が解決しようとする課題】
【０００４】
しかしながら、蓋体に付勢するバネの反発力は、蓋体の重量により設定されている。このため、蓋体に着脱自在に装着された付属の部品が取り外されたときには、蓋体の重量が軽くなり、バネの付勢力と蓋体の重量バランスが崩れて、蓋体が勢いよく開いてしまう。このような事態が起こった場合には、本体が浮き上がってしまったり、本体が転倒する恐れがあった。
【０００５】
本発明は前記のような課題を解決するためになされたもので、蓋体に着脱自在に装着された部品が取り外された状態でも、蓋体を安全に開くことができる炊飯器を提供することを目的とする。
【課題を解決するための手段】
【０００６】
本発明に係る炊飯器は、内釜が取り外し自在に収容され、内釜を加熱する加熱手段を有する本体と、本体にヒンジ部を介して開閉自在に設けられた蓋体とを有する炊飯器において、ヒンジ部は、コイル形状のヒンジバネを有し、ヒンジバネのバネ端部を上方から係止して当該バネ端部を水平状態とし、蓋体に着脱自在に装着される部品が装着されていないときに、バネ端部の係止位置を上方に移動させて、ヒンジバネの付勢力を、バネ端部を水平な状態で係止しているときよりも小さくするヒンジバネ可変機構部を備えたものである。
【発明の効果】
【０００７】
本発明によれば、ヒンジバネのバネ端部を上方から係止してそのバネ端部を水平状態とし、蓋体に着脱自在に装着される部品、例えば内蓋が装着されていないときに、バネ端部の係止位置を上方に移動させて、ヒンジバネの付勢力を、バネ端部を水平な状態で係止しているときよりも小さくするようにしている。この状態で蓋体を開けた場合、本体を浮き上がらせたり、転倒させることがない程度の速さで開くので、本体や蓋体が破損するようなことがなくなり、安全性の高い炊飯器を提供できる。
【図面の簡単な説明】
【０００８】
【図１】本発明の実施の形態１に係る炊飯器の外観を示す斜視図。
【図２】図１の炊飯器において蓋体を開放した状態を示す斜視図。
【図３】図２の蓋体から内蓋及びカートリッジを取り外した状態を示す斜視図。
【図４】図１の内釜を内蓋で覆った状態を示す斜視図。
【図５】図４の内釜及び内蓋の縦断面図。
【図６】図１の蓋体の内部を示す斜視図。
【図７】図６の蓋体のヒンジ部分を拡大して示す斜視図。
【図８】図７において蓋体に内蓋が装着されていないときの状態を示す斜視図。
【図９】本発明の実施の形態２に係る炊飯器のヒンジ部分を示す縦断面図。
【図１０】図９の炊飯器において内蓋がない状態を示す縦断面図。
【図１１】本発明の実施の形態３に係る炊飯器において蓋体の内部のヒンジ部分を示す斜視図。
【図１２】図１の蓋体を背面側から見て示す斜視図。
【発明を実施するための形態】
【０００９】
実施の形態１．
図１は本発明の実施の形態１に係る炊飯器の外観を示す斜視図、図２は図１の炊飯器において蓋体を開放した状態を示す斜視図、図３は図２の蓋体から内蓋及びカートリッジを取り外した状態を示す斜視図、図４は図１の内釜を内蓋で覆った状態を示す斜視図、図５は図４の内釜及び内蓋の縦断面図である。
【００１０】
実施の形態１における炊飯器１００は、図１及び図２に示すように、箱形状に形成された本体１と、本体１の上部にヒンジ部２０を介して開閉自在に取り付けられた蓋体２と、本体１の正面に取り外し自在に設けられた蒸気回収部３とを備えている。本体１には、図示していないが、底部側に加熱手段である加熱コイルが配設されている。蓋体２の手前側の上部には、炊飯に必要な複数のスイッチ４が配置されている。
【００１１】
なお、蓋体２の上部には、図示していないが、表示窓が設けられている。この表示窓は、蓋体２の内部に装着された液晶表示部の画面上に配置されている。前述のスイッチ４には、例えば、外部被膜を押したときに、その箇所の電極が接触してＯＮするタッチスイッチが用いられている。また、蓋体２の正面には、蓋係止ボタン５が設けられている。この蓋係止ボタン５を奥へ押した際に、蓋体２は、ヒンジ部２０の付勢力によって、本体１の上部を開放する。
【００１２】
本体１には、図２に示すように、内釜６が取り外し自在に収容されている。この内釜６は、有底筒状に形成され、開口部の周縁部に外側に折り曲げられたフランジ部６ａが設けられている。蓋体２には、図２及び図３に示すように、下部２ａに取り外し自在に嵌め込まれた内蓋７と、蓋体２の下部２ａに凹んで形成された収容部９に取り外し自在に収容されたカートリッジ８とを備えている。
【００１３】
このカートリッジ８は、炊飯時に発生する内釜６内の蒸気を導き入れる蒸気導入口８ａと、その蒸気を蒸気回収部３に案内する蒸気導出口８ｂとを備えている。蒸気導入口８ａは、内蓋７に設けられた蒸気排出口７ａに嵌め込まれ、蒸気導出口８ｂは、蓋体２が閉じられたときに蒸気回収部３の蒸気流入口１０に密閉状態で接合する。
【００１４】
内蓋７は、図４及び図５に示すように、板金で成形された蓋部７ｂと、蓋部７ｂの周縁部に設けられた合成樹脂製の枠部７ｃとで構成されている。蓋部７ｂは、周縁部を除く内側の部分が内釜６側に凹んでいる。また、蓋部７ｂは、周縁部のうちヒンジ部２０側に位置する部分に挿入穴７ｅが設けられている。つまり、内蓋７を蓋体２に装着した際に、その挿入穴７ｅがヒンジ部２０側に位置する。
【００１５】
枠部７ｃは、リング形状に形成され、蓋部７ｂの周縁部にネジ１１によって固定されている。また、枠部７ｃは、内周面側にシリコンゴム製のパッキン１２が取り付けられている。この枠部７ｃには、前述の挿入穴７ｅを貫通する突起部７ｄが設けられている。この突起部７ｄは、内釜６の開口を内蓋７で覆った際に、内釜６のフランジ部６ａ上に位置するように設けられている。
【００１６】
突起部７ｄを内釜６のフランジ部６ａ上に配置することで、突起部７ｄから内釜方向に力が加わっても、下側で内釜６のフランジ部６ａが受けているので、突起部７ｄが変形し難く、突起部７ｄの高さの変化を小さく抑えることができる。このため、後述するヒンジバネを所定の付勢力で反発させることができる。
【００１７】
次に、ヒンジ部２０及びヒンジバネ可変機構部３０の構成について、図６を用いて説明する。図６は図１の蓋体の内部を示す斜視図、図７は図６の蓋体のヒンジ部分を拡大して示す斜視図である。
ヒンジ部２０は、一体に成形されたコイル形状の第１ヒンジバネ２１（一方のヒンジバネ）及び第２ヒンジバネ２２（他方のヒンジバネ）と、第１ヒンジバネ２１及び第２ヒンジバネ２２に形成された穴（図示せず）に嵌入されたヒンジ軸（図示せず）とで構成されている。第１ヒンジバネ２１及び第２ヒンジバネ２２の付勢力は、例えば蓋体２と内蓋７及びカートリッジ８の合計重量に対して設定されている。つまり、蓋体２に内蓋７及びカートリッジ８が装着されていた場合には、その付勢力は蓋体２がゆっくりと開くように設定されている。また、第１ヒンジバネ２１及び第２ヒンジバネ２２の付勢力は、蓋体２に内蓋７（部品）が装着されていない場合、蓋体２の重量が軽くなるので、蓋体２に内蓋７が装着されているときと比べ強くなり、蓋体２を勢いよく開ける。前述の第２ヒンジバネ２２は、第１ヒンジバネ２１よりもバネ定数が小さくなっている。なお、第１ヒンジバネ２１及び第２ヒンジバネ２２が一体に形成された例を示したが、それぞれ別体で形成してもよい。
【００１８】
第１ヒンジバネ２１及び第２ヒンジバネ２２は、互いに逆方向に巻回されており、そのうちの第１ヒンジバネ２１の第１バネ端部２１ａは、第１ヒンジバネ２１の付勢力でバネ係止部２３に係止されている。また、第２ヒンジバネ２２の第２バネ端部２２ａは、後述する第２バネ係止可変部３１により係止されている。前述のヒンジ軸の両端は、蓋体２に回動自在に支持されている。
【００１９】
ヒンジバネ可変機構部３０は、蓋体２を正面から見て、中心部より右端の下部に溝部３１ａが形成された第２バネ係止可変部３１と、第２バネ係止可変部３１の中心部よりも右側に位置するように配置され、前後に互いに対向する一対の支持部３２ａ、３２ｂと、軸３３と、蓋体２の下部２ａに設けられた貫通穴３４から突出する突起部７ｄとで構成されている。
【００２０】
第２バネ係止可変部３１は、一対の支持部３２ａ、３２ｂの間に設置され、軸３３により上下方向に回動自在に支持されている。この第２バネ係止可変部３１は、蓋体２に内蓋７が装着されている場合は、突起部７ｄにより水平状態が維持される。この時、第２バネ端部２２ａが第２ヒンジバネ２２の付勢力により溝部３１ａ内に入って係止される。
【００２１】
前記のように構成された炊飯器１００のヒンジバネ可変機構部３０の作用について、図８を用いて説明する。図８は図７において蓋体に内蓋が装着されていないときの状態を示す斜視図である。
図７に示すように、蓋体２に内蓋７が装着されている場合、内蓋７に設けられた突起部７ｄは、蓋体２の下部２ａに設けられた貫通穴３４から突出して、第２バネ係止可変部３１の溝部３１ａと反対側の一端部を下から支持する。この場合、第２バネ係止可変部３１は、軸３３を支点として、突起部７ｄにより押し上げられ、蓋体２の下部２ａに対して水平となる。この時、第２バネ係止可変部３１の溝部３１ａによって、第２バネ端部２２ａが係止される。
【００２２】
蓋体２に内蓋７が装着されていない場合は、図８に示すように、内蓋７の突起部７ｄが貫通穴３４から突出しないので、第２バネ係止可変部３１は、軸３３を支点として、突起部７ｄ側の一端部が下方に下がり、一方、溝部３１ａ側の他端部が上方に上がる。この場合、第２バネ端部２２ａが第２ヒンジバネ２２の付勢力により上方へ上がって、溝部３１ａ内で係止される。この時、第２ヒンジバネ２２の付勢力は、第２バネ係止可変部３１が水平状態のときと比べ、弱くなっている。
【００２３】
つまり、蓋体２に内蓋７が装着されていない状態で、蓋体２を開けた場合には、第２ヒンジバネ２２の付勢力が弱くなっているので、蓋体２の開く速さは、本体１を浮き上がらせたり、転倒させることのない程度の速さで開く。
【００２４】
以上のように実施の形態１によれば、蓋体２に内蓋７が装着されていない場合、第２バネ係止可変部３１の溝部３１ａ側の他端部が軸３３を支点として斜め上方に移動し、これに伴い第２ヒンジバネ２２の第２バネ端部２２ａが上方に移動して、第２ヒンジバネ２２の付勢力を第２バネ係止可変部３１が水平状態と比べ弱くなる。この状態で蓋体２を開けた場合、本体１を浮き上がらせたり、転倒させることがない程度の速さで開くので、本体１や蓋体２が破損するようなことがなくなり、安全性の高い炊飯器１００を提供できる。
【００２５】
実施の形態２．
図９は本発明の実施の形態２に係る炊飯器のヒンジ部分を示す縦断面図、図１０は図９の炊飯器において内蓋がない状態を示す縦断面図である。なお、実施の形態１と同様の部分には同じ符号を付している。
【００２６】
ヒンジバネ４０は、例えば１本のコイルバネにより形成されている。ヒンジ軸４２は、前述したように、両端が蓋体２に回動自在に支持されている。ヒンジバネ４０のバネ端部４１は、カム５１により係止されている。このカム５１は、カム軸５２が設けられており、そのカム軸５２を中心として矢印方向に回動する。カム軸５２は、図示せぬギアーを介してモーターと接続されている。
【００２７】
内蓋７の周辺部の上方に例えばリミットスイッチ５０（内蓋検知手段）が配置されている。このリミットスイッチ５０は、蓋体２に内蓋７が装着された際にオンし、内蓋検知信号を炊飯器１００の制御部（図示せず）に入力する。この制御部は、内蓋検知信号が入力されたときには、モーターを駆動することなく、ヒンジバネ４０のバネ端部４１をカム５１によって水平状態で係止させる。
【００２８】
また、制御部は、内蓋検知信号が入力されなかったとき、即ち、リミットスイッチ５０がオフ状態のときには、カム５１がカム軸５２を中心として略９０度回転するまで、前述のモーターを駆動する。この時、ヒンジバネ４０のバネ端部４１は、カム５１の回転に伴って上方へ移動し、水平状態から斜めになる（図１０参照）。
【００２９】
バネ端部４１が斜めになることで、ヒンジバネ４０の付勢力は、バネ端部４１が水平のときと比べ、上方へ移動した分弱くなる。つまり、蓋体２に内蓋７が装着されていない状態で、蓋体２を開けた場合には、ヒンジバネ４０の付勢力が弱くなっているので、蓋体２の開く速さは、本体１を浮き上がらせたり、転倒させることのない程度の速さで開く。
【００３０】
以上のように実施の形態２によれば、蓋体２に内蓋７が装着されていない場合、カムが図９に示す状態から図１０のように変化するので、これに伴いヒンジバネ４０のバネ端部４１が斜め上方に移動する。この状態で蓋体２を開けた場合、本体１を浮き上がらせたり、転倒させることがない程度の速さで開くので、本体１や蓋体２が破損するようなことがなくなり、安全性の高い炊飯器１００を提供できる。
【００３１】
実施の形態３．
図１１は本発明の実施の形態３に係る炊飯器において蓋体の内部のヒンジ部分を示す斜視図、図１２は図１の蓋体を背面側から見て示す斜視図である。なお、実施の形態１と同じあるいは相当部分には同じ符号を付している。
【００３２】
実施の形態３におけるヒンジバネ可変機構部６０は、炊飯器１００を上方から見て、Ｔの字状に形成されたバネ係止可変部６１と、バネ係止可変部６１の左右方向に互いに対向する一対の支持部３２ａ、３２ｂと、軸３３と、蓋体２の下部２ａに設けられた貫通穴３４から突出する突起部７ｄとで構成されている。
【００３３】
バネ係止可変部６１は、左右に延びる第１バネ係止部６１ａ及び第２バネ係止部６１ｂを有している。バネ係止可変部６１は、一対の支持部３２ａ、３２ｂの間に設置され、軸３３により上下方向に回動自在にその支持部３２ａ、３２ｂに支持されている。バネ係止可変部６１に対する軸３３の位置は、手前側寄りである。
【００３４】
このバネ係止可変部６１は、蓋体２に内蓋７が装着されている場合、突起部７ｄにより後部が押し上げられて水平状態となっている。この時、第１バネ端部２１ａが第１バネ係止部６１ａの第１溝部６１ｃ内に入って係止され、第２バネ端部２２ａが第２バネ係止部６１ｂの第２溝部６１ｄ内に入って係止される。
【００３５】
前記のように構成された炊飯器１００のヒンジバネ可変機構部６０の作用について説明する。
図１１及び図１２に示すように、蓋体２に内蓋７が装着されている場合、内蓋７に設けられた突起部７ｄは、蓋体２の下部２ａに設けられた貫通穴３４から突出して、バネ係止可変部６１の後部を下から支持する。この場合、バネ係止可変部６１は、軸３３を支点として、突起部７ｄにより押し上げられ、蓋体２の下部２ａに対して水平となる。この時、第１バネ係止部６１ａの第１溝部６１ｃによって、第１バネ端部２１ａが係止され、第２バネ係止部６１ｂの第２溝部６１ｄによって、第２バネ端部２２ａが係止される。
【００３６】
蓋体２に内蓋７が装着されていない場合は、内蓋７の突起部７ｄが貫通穴３４から突出しないので、バネ係止可変部６１は、軸３３を支点として、後部が下方へ下がると共に、第１バネ係止部６１ａ及び第２バネ係止部６１ｂが上方へ上がる。この時、第１バネ端部２１ａ及び第２バネ端部２２ａがそれぞれ第１ヒンジバネ２１と第２ヒンジバネ２２の付勢力により上方へ上がって、第１溝部６１ｃ及び第２溝部６１ｄ内で係止される。この場合、第１ヒンジバネ２１と第２ヒンジバネ２２の付勢力は、バネ係止可変部６１が水平状態のときと比べ、弱くなっている。
【００３７】
つまり、蓋体２に内蓋７が装着されていない状態で、蓋体２を開けた場合には、第１ヒンジバネ２１と第２ヒンジバネ２２の付勢力が弱くなっているので、蓋体２の開く速さは、本体１を浮き上がらせたり、転倒させることのない程度の速さで開く。
【００３８】
以上のように実施の形態３によれば、蓋体２に内蓋７が装着されていない場合、バネ係止可変部６１は、軸３３を支点として、後部が下方へ下がると共に、前部の第１バネ係止部６１ａ及び第２バネ係止部６１ｂが上方へ上がって、第１バネ端部２１ａ及びが第２バネ端部２２ａをそれぞれ第１溝部６１ｃ及び第２溝部６１ｄ内で係止される。この状態で蓋体２を開けた場合、本体１を浮き上がらせたり、転倒させることがない程度の速さで開くので、本体１や蓋体２が破損するようなことがなくなり、安全性の高い炊飯器１００を提供できる。
【００３９】
なお、前記の実施の形態１から実施の形態３において、内釜６で発生する蒸気を回収する蒸気回収式の炊飯器１００を例にとり説明したが、蒸気回収の構成がなく、蓋体２に内蓋７等の部品が着脱自在に装着される通常の炊飯器についても適用できることはいうまでもない。
【符号の説明】
【００４０】
１  本体、２  蓋体、２ａ  下部、３  蒸気回収部、４  スイッチ、５  蓋係止ボタン、６  内釜、６ａ  フランジ部、７  内蓋、７ａ  蒸気排出口、７ｂ  蓋部、７ｃ  枠部、７ｄ  突起部、７ｅ  挿入穴、８  カートリッジ、８ａ  蒸気導入口、８ｂ  蒸気導出口、９  収容部、１０  蒸気流入口、１１  ネジ、１２  パッキン、２０  ヒンジ部、２１  第１ヒンジバネ、２１ａ  第１バネ端部、２２  第２ヒンジバネ、２２ａ  第２バネ端部、２３  バネ係止部、３０  ヒンジバネ可変機構部、３１  第２バネ係止可変部、３１ａ  溝部、３２ａ、３２ｂ  支持部、３３  軸、３４  貫通穴、４０  ヒンジバネ、４１  バネ端部、４２  ヒンジ軸、５０  リミットスイッチ、５１  カム、５２  カム軸、６０  ヒンジバネ可変機構部、６１  バネ係止可変部、６１ａ  第１バネ係止部、６１ｂ  第２バネ係止部、６１ｃ  第１溝部、６１ｄ  第２溝部、１００  炊飯器。
【図１】
2016174623.tif 000003
【図２】
2016174623.tif 000004
【図３】
2016174623.tif 000005
【図４】
2016174623.tif 000006
【図５】
2016174623.tif 000007
【図６】
2016174623.tif 000008
【図７】
2016174623.tif 000009
【図８】
2016174623.tif 000010
【図９】
2016174623.tif 000011
【図１０】
2016174623.tif 000012
【図１１】
2016174623.tif 000013
【図１２】
2016174623.tif 000014